(57)【特許請求の範囲】
【請求項１】
走査線とデータ線の交点に対応して設けられたスイッチング素子と、前記スイッチング素子に対応して設けられた画素電極とを有する電気光学装置の駆動方法であって、
入力画像信号を補正して補正済画像信号を生成する段階と、
前記補正済画像信号を複数の系統に分割するとともに時間軸伸張して、複数系統に相展開された相展開画像信号を生成する段階と、
前記走査線を順次選択する段階と、
前記走査線が選択された期間において、前記データ線を複数本毎にまとめたブロック毎に各データ線に対応する相展開画像信号を供給する段階とを備え、
前記補正済画像信号を生成する段階は、前記ブロックに供給される前記相展開画像信号に発生する前記系統毎の誤差に基づいて生成された補正信号に基づいて、前記入力画像信号を補正する
ことを特徴とする電気光学装置の駆動方法。
【請求項２】
走査線とデータ線の交点に対応して設けられたスイッチング素子と、前記スイッチング素子に対応して設けられた画素電極とを有し、
前記走査線を順次選択し、前記走査線が選択された期間において、前記データ線を複数本毎にまとめたブロック毎に相展開画像信号を供給する電気光学装置の駆動方法であって、
入力画像信号を複数系統に分割するとともに時間軸伸張して、複数の系統に相展開された相展開画像信号を生成する段階と、
前記ブロックに供給される前記相展開画像信号に発生する前記系統毎の誤差に基づいて生成された補正信号に基づいて前記相展開画像信号を補正する段階と、
前記ブロック毎に各データ線に補正された相展開画像信号を供給する段階と
を備えることを特徴とする電気光学装置の駆動方法。
【請求項３】
走査線とデータ線の交点に対応して設けられたスイッチング素子と、前記スイッチング素子に対応して設けられた画素電極とを有し、前記走査線を順次選択して駆動する電気光学装置に用いる画像処理回路であって、
入力画像信号を補正して補正済画像信号を生成する補正手段と、
前記補正済画像信号を複数の系統に分割するとともに時間軸伸張して、複数系統に相展開された相展開画像信号を生成する生成手段と、
前記走査線が選択された期間において、前記データ線を複数本毎にまとめたブロック毎に各データ線に対応する相展開画像信号を供給する手段とを備え、
前記補正手段は前記ブロックに供給される前記相展開画像信号に発生する前記系統毎の誤差に基づいて生成された補正信号に基づいて、前記入力画像信号を補正する前記補正済画像信号を生成すること、
を特徴とする画像処理回路。
【請求項４】
前記補正手段は、
前記各補正信号を前記ブロックの選択周期でラッチするラッチ回路群と、
前記ラッチ回路群の各出力信号を順次選択する選択回路と、
前記選択回路の出力信号と前記入力画像信号とを合成して前記補正済画像信号を生成する合成回路と、
を備えることを特徴とする請求項３に記載の画像処理回路。
【請求項５】
前記補正手段は、前記データ線の選択方向に応じて前記各補正信号を選択し、選択された前記補正信号と前記入力画像信号とに基づいて、前記補正済画像信号を生成することを特徴とする請求項３に記載の画像処理回路。
【請求項６】
前記補正手段は、
前記各補正信号を前記ブロックの選択周期でラッチするラッチ回路群と、
前記データ線の選択方向を指示する制御信号に基づいて、前記ラッチ回路群の各出力信号を順次選択する選択回路と、
前記選択回路の出力信号と前記入力画像信号とを合成して前記補正済画像信号を生成する合成回路と
を備えることを特徴とする請求項５に記載の画像処理回路。
【請求項７】
走査線とデータ線の交点に対応して設けられたスイッチング素子と、前記スイッチング素子に対応して設けられた画素電極とを有し、
前記走査線を順次選択し、前記走査線が選択された期間において、前記データ線を複数本毎にまとめたブロック毎に相展開画像信号を供給する電気光学装置に用いる画像処理回路であって、
入力画像信号を複数系統に分割するとともに時間軸伸張して、複数の系統に相展開された相展開画像信号を生成する生成手段と、
前記ブロックに供給される前記相展開画像信号に発生する前記系統毎の誤差に基づいて生成された補正信号に基づいて前記相展開画像信号を補正する補正手段と、
前記ブロック毎に各データ線に補正された相展開画像信号を供給する手段と
を備えることを特徴とする画像処理回路。
【請求項８】
前記補正手段は、
前記各補正信号を前記ブロックの選択周期でラッチするラッチ回路群と、
前記ラッチ回路群の各出力信号と前記各画像信号とを各々合成して前記相展開画像信号を生成する複数の合成回路と
を備えることを特徴とする請求項７に記載の画像処理回路。
【請求項９】
前記補正手段は、前記データ線の選択方向に応じて前記各補正信号を選択し、選択された前記各補正信号と前記各画像信号とに基づいて、前記相展開画像信号を生成することを特徴とする請求項７に記載の画像処理回路。
【請求項１０】
前記補正手段は、
前記各補正信号を前記ブロックの選択周期でラッチするラッチ回路群と、
前記ラッチ回路群の各出力信号と前記各画像信号とを各々合成して前記相展開画像信号を生成する複数の合成回路と、
前記データ線の選択方向を指示する制御信号に基づいて、前記ラッチ回路群の各出力信号を前記複数の合成回路に供給する供給回路と
を備えることを特徴とする請求項７に記載の画像処理回路。
【請求項１１】
請求項３または７に記載の画像処理回路と、
前記走査線を順次選択する走査線駆動手段と、
前記走査線が選択された期間において、前記データ線を複数本毎にまとめたブロックを順次選択することにより、前記相展開画像信号を選択されたブロックに属するデータ線の各々に供給するブロック駆動手段と、
を備えたことを特徴とする電子機器。
【請求項１２】
走査線とデータ線の交点に対応して設けられたスイッチング素子と、前記スイッチング素子に対応して設けられた画素電極とを有し、各走査線を順次選択し、前記走査線が選択された期間において、前記データ線を複数本毎にまとめたブロック毎に相展開画像信号を供給する電気光学パネルを有するプロジェクタにおいて、前記ブロックに供給される前記相展開画像信号に発生する誤差を補正するために用いる補正データを生成する補正データ生成方法であって、
前記ブロックを複数の測定ブロックと複数の基準ブロックとに分け、
前記複数の測定ブロックに対して測定レベルの階調に対応する入力画像データを供給するとともに、前記複数の測定ブロックの間に介挿され前記測定ブロックの位置を判別する基準となる前記複数の基準ブロックに対して、基準レベルの階調に対応する入力画像データを供給して、
前記測定レベルに対応する階調と前記基準レベルに対応する階調とをスクリーンに表示させ、
前記測定レベルに対応する階調と前記基準レベルの階調とは異なっており、
前記スクリーン上の画像をビデオカメラを用いて撮影して画像信号を生成し、前記測定レベルと前記基準レベルを判別可能な閾値と前記画像信号とを比較し、比較結果に基づいて前記測定ブロックを検知し、
前記測定ブロックに対応する画像信号に基づいて、前記データ線毎に前記補正データを生成する
ことを特徴とする補正データ生成方法。
【請求項１３】
前記データ線毎に前記補正データを生成する段階は、
前記基準ブロックと隣接しない前記測定ブロックに対応する画像信号に基づいて、前記データ線毎に前記補正データを生成することを特徴とする請求項１２に記載の補正データ生成方法。
【請求項１４】
前記データ線毎に前記補正データを生成する段階は、
前記測定ブロックに対応する各画像信号を前記スクリーンの全画面について平均化して得た平均化画像信号に基づいて生成することを特徴とする請求項１２に記載の補正データ生成方法。
【請求項１５】
前記データ線毎に前記補正データを生成する段階は、
前記スクリーン上の一部の領域に位置する測定ブロックに対応する各画像信号を前記一部の領域について平均化して得た平均化画像信号に基づいて生成することを特徴とする請求項１２に記載の補正データ生成方法。
【発明の詳細な説明】
【０００１】
【発明の属する技術分野】
本発明は、例えば、液晶表示装置などの電気光学装置に用いて好適な電気光学装置の駆動方法、画像処理回路、電子機器、および補正データ生成方法に関する。
【０００２】
【従来の技術】
ビデオプロジェクタの主要部は、光源、液晶表示パネル、およびレンズから構成される。光源からの光は、入力画像データに応じて画素毎に透過率が調整された液晶表示表示パネルおよびレンズを介してスクリーンに表示される。表示画像の分解能は、液晶表示パネルの画素ピッチに依存することから、高精細な画像を表示するためには、画素ピッチを狭くする必要がある。
【０００３】
ここで、液晶表示パネルは、素子基板と対向基板とを間隙を持って張り合わせてなり、間隙には液晶が充填されている。対向基板には共通電極が形成される一方、素子基板には、複数本の走査線と、複数本のデータ線と、走査線とデータ線の交差に対応して画素電極およびスイッチング素子が形成される。そして、１水平期間毎に走査線を順次選択し、１本の走査線を選択している期間中に各データ線にデータ信号を供給し、これを画素電極に書き込むことが行われる。
【０００４】
画素ピッチを狭くすると、画素数が増加するのでデータ線の本数も増加する。このため、データ信号を画素電極に書き込むための期間が短くなる。データ線には、寄生容量が付随しているので、書込期間が短いとデータ信号を十分書き込めなくなってしまう。
【０００５】
そこで、複数本のデータ線をまとめて選択し、各データ線に画像信号を並列に供給する技術が知られている。以下の説明では、まとめて選択する複数本のデータ線をブロックと称することにする。例えば、１ブロックが６本のデータ線より構成されるとすれば、１系統の画像信号を６系統に分割するとともに、時間軸を６倍に伸張する。これにより、データ信号の書き込み時間を十分確保することができ、高精細な画像を表示することが可能となる。
【０００６】
【発明が解決しようとする課題】
しかしながら、画像信号を複数系統に分割する場合、ゲイン等の伝達特性が系統間で揃っていないと、表示画像にはブロック周期の表示ムラが発生するといった問題がある。
【０００７】
また、この表示ムラは、表示階調に応じてその程度が異なる。これは、液晶への印加電圧に対する透過率が変化する割合が、印加電圧によって異なるからである。例えば、液晶表示パネルに用いる液晶が、印加電圧が２Ｖで透過率が０％に飽和し、印加電圧が５Ｖで透過率が１００％に飽和し、印加電圧が３．５Ｖで透過率が５０％になるものとする。この場合、印加電圧に対する透過率が変化の割合は印加電圧が３．５Ｖのときが最も大きく、印加電圧が２Ｖまたは５Ｖに近づくにつれ、変化の割合は減少する。したがって、各系統間で０．１Ｖの誤差があったとしても、目標電圧が３．５Ｖの場合と２．５Ｖの場合では、人の目で感ずる階調誤差の程度は異なる。
【０００８】
本発明は上述した点に鑑みてなされたものであり、ブロック周期の表示ムラを解消して、表示画像の品質を向上させることにある。
【０００９】
【課題を解決するための手段】
上記目的を達成するために本発明の駆動方法にあっては、走査線とデータ線の交点に対応して設けられたスイッチング素子と、前記スイッチング素子に対応して設けられた画素電極とを有する電気光学装置の駆動方法であって、入力画像信号を補正して補正済画像信号を生成する段階と、前記補正済画像信号を複数の系統に分割するとともに時間軸伸張して、複数系統に相展開された相展開画像信号を生成する段階と、前記走査線を順次選択する段階と、前記走査線が選択された期間において、前記データ線を複数本毎にまとめたブロック毎に各データ線に対応する相展開画像信号を供給する段階とを備え、前記補正済画像信号を生成する段階は、前記ブロックに供給される前記相展開画像信号に発生する前記系統毎の誤差に基づいて生成された補正信号に基づいて、前記入力画像信号を補正することを特徴とする。この発明によれば、補正信号に基づいて入力画像信号を補正するから、入力画像信号を複数系統に分割する前に、相展開画像信号を生成する段階で発生する各系統毎の誤差をキャンセルすることができ、表示画像の品質を向上させることが可能となる。
【００１０】
また、本発明の駆動方法にあっては、走査線とデータ線の交点に対応して設けられたスイッチング素子と、前記スイッチング素子に対応して設けられた画素電極とを有し、前記走査線を順次選択し、前記走査線が選択された期間において、前記データ線を複数本毎にまとめたブロック毎に相展開画像信号を供給する電気光学装置の駆動方法であって、入力画像信号を複数系統に分割するとともに時間軸伸張して、複数の系統に相展開された相展開画像信号を生成する段階と、前記ブロックに供給される前記相展開画像信号に発生する前記系統毎の誤差に基づいて生成された補正信号に基づいて前記相展開画像信号を補正する段階と、前記ブロック毎に各データ線に補正された相展開画像信号を供給する段階とを備えることを特徴とするこの発明によれば、相展開を行う過程において、各系統毎に誤差を相殺する補正を施すことができるので、表示画像の品質を向上させることが可能となる。
【００１１】
走査線とデータ線の交点に対応して設けられたスイッチング素子と、前記スイッチング素子に対応して設けられた画素電極とを有し、前記走査線を順次選択して駆動する電気光学装置に用いる画像処理回路であって、入力画像信号を補正して補正済画像信号を生成する補正手段と、前記補正済画像信号を複数の系統に分割するとともに時間軸伸張して、複数系統に相展開された相展開画像信号を生成する生成手段と、前記走査線が選択された期間において、前記データ線を複数本毎にまとめたブロック毎に各データ線に対応する相展開画像信号を供給する手段とを備え、前記補正手段は前記ブロックに供給される前記相展開画像信号に発生する前記系統毎の誤差に基づいて生成された補正信号に基づいて、前記入力画像信号を補正する前記補正済画像信号を生成すること、を特徴とする。この発明によれば、ブロックの選択周期に同期して各補正信号を生成し、これに基づいて入力画像信号を補正するので、相展開画像信号を生成する段階で発生する各系統毎の誤差をキャンセルすることができ、表示画像の品質を向上させることが可能となる。
【００１２】
ここで、前記補正手段は、前記各補正信号を前記ブロックの選択周期でラッチするラッチ回路群と、前記ラッチ回路群の各出力信号を順次選択する選択回路と、前記選択回路の出力信号と前記入力画像信号とを合成して前記補正済画像信号を生成する合成回路とを備えることが好ましい。この発明によれば、各補正信号はラッチされた後、順次選択され、入力画像信号に補正を施すことになる。
【００１３】
また、前記補正手段は、前記データ線の選択方向に応じて前記各補正信号を選択し、選択された前記補正信号と前記入力画像信号とに基づいて、前記補正済画像信号を生成することが好ましい。この場合、前記補正手段は、前記各補正信号を前記ブロックの選択周期でラッチするラッチ回路群と、前記データ線の選択方向を指示する制御信号に基づいて、前記ラッチ回路群の各出力信号を順次選択する選択回路と、前記選択回路の出力信号と前記入力画像信号とを合成して前記補正済画像信号を生成する合成回路とを備えることがさらに好ましい。この発明によれば、データ線の選択方向を逆転させた場合にも、各系統に対応する補正を施すことが可能となる。
【００１４】
走査線とデータ線の交点に対応して設けられたスイッチング素子と、前記スイッチング素子に対応して設けられた画素電極とを有し、前記走査線を順次選択し、前記走査線が選択された期間において、前記データ線を複数本毎にまとめたブロック毎に相展開画像信号を供給する電気光学装置に用いる画像処理回路であって、入力画像信号を複数系統に分割するとともに時間軸伸張して、複数の系統に相展開された相展開画像信号を生成する生成手段と、前記ブロックに供給される前記相展開画像信号に発生する前記系統毎の誤差に基づいて生成された補正信号に基づいて前記相展開画像信号を補正する補正手段と、前記ブロック毎に各データ線に補正された相展開画像信号を供給する手段とを備えることを特徴とする。この発明によれば、ブロックの選択周期に同期して各補正信号を生成し、これに基づいて入力画像信号を補正するので、相展開画像信号を生成する段階で発生する各系統毎の誤差をキャンセルすることができ、表示画像の品質を向上させることが可能となる。
【００１５】
ここで、前記補正手段は、前記各補正信号を前記ブロックの選択周期でラッチするラッチ回路群と、前記ラッチ回路群の各出力信号と前記各画像信号とを各々合成して前記相展開画像信号を生成する複数の合成回路とを備えることが好ましい。
【００１６】
また、前記補正手段は、前記データ線の選択方向に応じて前記各補正信号を選択し、選択された前記各補正信号と前記各画像信号とに基づいて、前記相展開画像信号を生成することが望ましい。さらに、前記補正手段は、前記各補正信号を前記ブロックの選択周期でラッチするラッチ回路群と、前記ラッチ回路群の各出力信号と前記各画像信号とを各々合成して前記相展開画像信号を生成する複数の合成回路と、前記データ線の選択方向を指示する制御信号に基づいて、前記ラッチ回路群の各出力信号を前記複数の合成回路に供給する供給回路とを備えることが好ましい。この発明によれば、各系統に分割された後、各信号に補正を施すこととなり、各系統毎の誤差をキャンセルすることができ、表示画像の品質を向上させることが可能となる。
【００１７】
次に、本発明の電子機器は、上述した画像処理回路と、前記走査線を順次選択する走査線駆動手段と、前記走査線が選択された期間において、前記データ線を複数本毎にまとめたブロックを順次選択することにより、前記相展開画像信号を選択されたブロックに属するデータ線の各々に供給するブロック駆動手段とを備えたことを特徴とする。
【００１８】
このような電子機器としては、例えば、ビデオプロジェクタ、ノート型パーソナルコンピュータ、携帯電話機等が該当する。
【００１９】
次に、本発明の補正データ生成方法は、走査線とデータ線の交点に対応して設けられたスイッチング素子と、前記スイッチング素子に対応して設けられた画素電極とを有し、各走査線を順次選択し、前記走査線が選択された期間において、前記データ線を複数本毎にまとめたブロック毎に相展開画像信号を供給する電気光学パネルを有するプロジェクタにおいて、前記ブロックに供給される前記相展開画像信号に発生する誤差を補正するために用いる補正データを生成する補正データ生成方法であって、前記ブロックを複数の測定ブロックと複数の基準ブロックとに分け、前記複数の測定ブロックに対して測定レベルの階調に対応する入力画像データを供給するとともに、前記複数の測定ブロックの間に介挿され前記測定ブロックの位置を判別する基準となる前記複数の基準ブロックに対して、基準レベルの階調に対応する入力画像データを供給して、前記測定レベルに対応する階調と前記基準レベルに対応する階調とをスクリーンに表示させ、前記測定レベルに対応する階調と前記基準レベルの階調とは異なっており、前記スクリーン上の画像をビデオカメラを用いて撮影して画像信号を生成し、前記測定レベルと前記基準レベルを判別可能な閾値と前記画像信号とを比較し、比較結果に基づいて前記測定ブロックを検知し、前記測定ブロックに対応する画像信号に基づいて、前記データ線毎に前記補正データを生成することを特徴とするこの発明によれば、表示画像のうち、測定ブロックを検知できるから、どの縦ラインがどのデータ線に対応するかを検知して、それに応じた補正データを生成することが可能になる。
【００２０】
また、各データ線毎に前記補正データを生成する段階は、前記基準ブロックと隣接しない前記測定ブロックに対応する画像信号に基づいて、各データ線毎に前記補正データを生成することが好ましい。この発明によれば、ブロックゴーストの影響を受けないブロックに基づいて補正データを生成できる。
【００２１】
さらに、前記データ線毎に前記補正データを生成する段階は、前記測定ブロックに対応する各画像信号を前記スクリーンの全画面について平均化して得た平均化画像信号に基づいて生成することが好ましい。この発明によれば、画像信号を平均化することによってノイズの影響を排除して、正確な補正データを生成することが可能となる。
【００２２】
くわえて、前記データ線毎に前記補正データを生成する段階は、前記スクリーン上の一部の領域に位置する測定ブロックに対応する各画像信号を前記一部の領域について平均化して得た平均化画像信号に基づいて生成することが好ましい。例えば、スクリーンの左上隅領域、右上隅領域、左下隅領域、右下隅領域、および中央領域のうち、全部あるいはいくつかを適宜組み合わせた領域に位置する測定ブロックに基づいて補正データを生成してもよい。この場合には、全ての測定ブロックについて画像信号の平均化処理を行わないので、演算時間を短縮することが可能となる。
【００２３】
【発明の実施の形態】
以下、本発明の実施形態について図面を参照して説明する。本実施形態では、電気光学装置の一例として、アクティブ・マトリクス型の液晶表示パネルを用いたプロジェクタについて説明する。
【００２４】
＜１．第１実施形態＞
＜１−１：プロジェクタの全体構成＞
図１は、プロジェクタの電気的構成を示すブロック図である。この図に示すようにプロジェクタ１１００は、３枚の液晶表示パネル１００Ｒ，１００Ｇ，１００Ｂと、タイミング発生回路２００と、画像処理回路３００とを備えている。
【００２５】
まず、各液晶表示パネル１００Ｒ，１００Ｇ，１００Ｂは、Ｒ（赤）、Ｇ（緑）、Ｂ（青）の３原色に各々対応するものである。各パネルは、素子基板と対向基板との間に液晶を挟持してなり、表示領域の他に、データ線駆動回路および走査線駆動回路が素子基板の周辺部分に形成されている。なお、以下の説明において、各色に共通の説明をする場合、液晶表示パネルには符号「１００」付すことにする。
【００２６】
次に、タイミング発生回路２００は、走査線駆動回路やデータ線駆動回路、あるいは画像処理回路３００に各種のタイミング信号を供給するものである。次に、画像処理回路３００は、１０ビットの入力画像データＤｉｎに基づいて、相展開画像信号ＶＩＤ１〜ＶＩＤ６を生成し、各液晶表示パネル１００Ｒ，１００Ｇ，１００Ｂに供給するものである。なお、図１においては、１つの入力画像データＤｉｎと１つの画像処理回路３００を図示してあるが、実際には、ＲＧＢ各色に対応する３個の画像処理回路が設けられており、３種類の入力画像データが外部から供給されるようになっている。
【００２７】
次に、プロジェクタの機械的構成について説明する。図２は、このプロジェクタの構成例を示す平面図である。この図に示すように、プロジェクタ１１００内部には、ハロゲンランプ等の白色光源からなるランプユニット１１０２が設けられている。このランプユニット１１０２から射出された投射光は、ライトガイド１１０４内に配置された４枚のミラー１１０６および２枚のダイクロイックミラー１１０８によってＲＧＢの３原色に分離され、各原色に対応するライトバルブとしての液晶表示パネル１００Ｒ、１００Ｂおよび１００Ｇに入射される。液晶表示パネル１００Ｒ、１００Ｂおよび１００Ｇには、図示しない画像処理回路から供給されるＲ、Ｇ、Ｂの画像信号でそれぞれ駆動される。さて、これらの液晶表示パネルによって変調された光は、ダイクロイックプリズム１１１２に３方向から入射される。このダイクロイックプリズム１１１２においては、ＲおよびＢの光が９０度に屈折する一方、Ｇの光が直進する。したがって、各色の画像が合成される結果、投射レンズ１１１４を介して、スクリーン等にカラー画像が投写されることとなる。液晶表示パネル１００Ｒ，１００Ｂ，１００Ｇには、ダイクロイックミラー１１０８によって、Ｒ、Ｇ、Ｂの各原色に対応する光が入射するので、対向基板にカラーフィルタを設ける必要はない。
【００２８】
このプロジェクタの使用態様としては、床面に装置を据え置いて使用する態様と、装置の底面を天井に向けて天井からつり下げて使用する態様とがある。このように使用態様を変更すると、スクリーンに対する液晶表示パネル１００の位置関係が上下左右逆転してしまう。このため、液晶表示パネル１００にあっては、転送方向制御信号ＤＩＲＸおよびＤＩＲＹに基づいて、走査方向を上下方向、左右方向ともに逆転させることができるようになっている。
【００２９】
＜１−２：液晶表示パネル＞
次に、液晶表示パネル１００について説明する。図３は液晶表示パネル１００の構成を示すブロック図である。この液晶表示パネル１００は、素子基板と対向基板とが間隙をもって対向し、この間隙に液晶が封入された構成となっている。
【００３０】
ここで、素子基板と対向基板とは、石英基板や、ハードガラス等からなる。
【００３１】
このうち、素子基板にあっては、図３においてＸ方向に沿って平行に複数本の走査線１１２が配列して形成され、また、これと直交するＹ方向に沿って平行に複数本のデータ線１１４が形成されている。ここで、各データ線１１４は６本を単位としてブロック化されており、これらをブロックＢ１〜Ｂｍとする。以降説明の便宜上、一般的なデータ線を指摘する場合には、その符号を１１４として示すが、特定のデータ線を指摘する場合には、その符号を１１４ａ〜１１４ｆとして示すこととする。
【００３２】
そして、これらの走査線１１２とデータ線１１４との各交点においては、スイッチング素子として、例えば、各薄膜トランジスタ（Ｔｈｉｎ  Ｆｉｌｍ  Ｔｒａｎｓｉｓｔｏｒ：以下、「ＴＦＴ」と称する）１１６のゲート電極が走査線１１２に接続される一方、ＴＦＴ１１６のソース電極がデータ線１１４に接続されるとともに、ＴＦＴ１１６のドレイン電極が画素電極１１８に接続されている。そして、各画素は、画素電極１１８と、対向基板に形成された共通電極と、これら両電極間に挟持された液晶とによって構成されて、走査線１１２とデータ線１１４との各交点において、マトリクス状に配列することとなる。なお、このほかに保持容量（図示省略）が各画素電極１１８に接続された状態で形成されている。
【００３３】
さて、走査線駆動回路１２０は、素子基板上に形成され、タイミング発生回路２００からのクロック信号ＣＬＹや、その反転クロック信号ＣＬＹＩＮＶ、転送開始パルスＤＹ、転送方向制御信号ＤＩＲＹ等に基づいて、パルス的な走査信号を各走査線１１２に対して順次出力するものである。詳細には、走査線駆動回路１２０は、垂直走査期間の最初に供給される転送開始パルスＤＹを、クロック信号ＣＬＹおよびその反転クロック信号ＣＬＹＩＮＶにしたがって順次シフトして走査線信号として出力し、これにより各走査線１１２を順次選択するものである。また、転送方向制御信号ＤＩＲＹは、走査線１１２の選択を上から下に行うか、あるいは、下から上に行うかを指示するものである。走査線駆動回路１２０は、転送方向制御信号ＤＩＲＹに従って走査線１１２の選択方向を切り替える。
【００３４】
一方、サンプリング回路１３０は、サンプリング用のスイッチ１３１を各データ線１１４の一端において、各データ線１１４毎に備えるものである。このスイッチ１３１は、同じく素子基板上に形成されたＴＦＴからなり、このスイッチ１３１のソース電極には、相展開画像信号ＶＩＤ１〜ＶＩＤ６が入力されている。
【００３５】
そして、ブロックＢ１のデータ線１１４ａ〜１１４ｆに接続された６個のスイッチ１３１のゲート電極は、サンプリング信号Ｓ１が供給される信号線に接続され、ブロックＢ２のデータ線１１４ａ〜１１４ｆに接続された６個のスイッチ１３１のゲート電極は、サンプリング信号Ｓ２が供給される信号線に接続され、以下同様に、ブロックＢｍのデータ線１１４ａ〜１１４ｆに接続された６個のスイッチ１３１のゲート電極は、サンプリング信号Ｓｍが供給される信号線に接続されている。ここで、サンプリング信号Ｓ１〜Ｓｍは、それぞれ水平有効表示期間内に相展開画像信号ＶＩＤ１〜ＶＩＤ６をブロック毎にサンプリングするための信号である。
【００３６】
また、データ線駆動回路１４０は、同じく素子基板上に形成され、タイミング発生回路２００からのクロック信号ＣＬＸや、その反転クロック信号ＣＬＸＩＮＶ、転送開始パルスＤＸ、転送方向制御信号ＤＩＲＸ等に基づいて、サンプリング信号Ｓ１〜Ｓｍを順次出力するものである。詳細には、データ線駆動回路１４０は、水平走査期間の最初に供給される転送開始パルスＤＸを、クロック信号ＣＬＸおよびその反転クロック信号ＣＬＸＩＮＶにしたがって順次シフトするとともに、これらシフトした信号のパルス幅を隣接する信号同士で重ならないように狭めて、サンプリング信号Ｓ１〜Ｓｍとして順次出力するものである。また、転送方向制御信号ＤＩＲは、データ線１１４の選択を左から右に行うか、あるいは、右から左に行うかを指示するものである。データ線駆動回路１４０は、転送方向制御信号ＤＩＲＸに従ってデータ線１１４の選択方向を切り替える。
【００３７】
このような構成において、サンプリング信号Ｓ１が出力されると、ブロックＢ１に属する６本のデータ線１１４ａ〜１１４ｆには、それぞれ相展開画像信号ＶＩＤ１〜ＶＩＤ６がサンプリングされて、これらの相展開画像信号ＶＩＤ１〜ＶＩＤ６が現時点の選択走査線における６個の画素に、当該ＴＦＴ１１６によってそれぞれ書き込まれることとなる。
【００３８】
この後、サンプリング信号Ｓ２が出力されると、今度は、ブロックＢ２に属する６本のデータ線１１４ａ〜１１４ｆには、それぞれ相展開画像信号ＶＩＤ１〜ＶＩＤ６がサンプリングされ、これらの相展開画像信号ＶＩＤ１〜ＶＩＤ６がその時点の選択走査線における６個の画素に、当該ＴＦＴ１１６によってそれぞれ書き込まれることとなる。
【００３９】
以下同様にして、サンプリング信号Ｓ３、Ｓ４、……、Ｓｍが順次出力されると、ブロックＢ３、Ｂ４、……、Ｂｍに属する６本のデータ線１１４ａ〜１１４ｆには、それぞれ相展開画像信号ＶＩＤ１〜ＶＩＤ６がサンプリングされ、これらの相展開画像信号ＶＩＤ１〜ＶＩＤ６がその時点の選択走査線における６個の画素にそれぞれ書き込まれることとなる。そして、この後、次の走査線が選択されて、ブロックＢ１〜Ｂｍにおいて同様な書き込みが繰り返し実行されることとなる。
【００４０】
この駆動方式では、サンプリング回路１３０におけるスイッチ１３１を駆動制御するデータ線駆動回路１４０の段数が、各データ線を点順次で駆動する方式と比較して１／６に低減される。さらに、データ線駆動回路１４０に供給すべきクロック信号ＣＬＸおよびその反転クロック信号ＣＬＸＩＮＶの周波数も１／６で済むので、段数の低減化と併せて低消費電力化も図られることとなる。
【００４１】
＜１−３：画像処理回路＞
次に画像処理回路３００Ａについて説明する。図１に示すように画像処理回路３００Ａは、補正回路３１０、相展開回路３２０、Ｄ／Ａ変換回路３３０、および増幅反転回路３４０を備える。このうち、補正回路３１０は、相展開回路３２０から増幅・反転回路３４０までの伝達特性を補正データに基づいて補正して、補正済画像データＤＶＩＤを生成する。
【００４２】
相展開回路３２０は、一系統の補正済画像データＤＶＩＤを入力すると、これをＮ相（図においてはＮ＝６）のデータに展開して出力するものである。相展開回路３２０の出力データは、Ｄ／Ａ変換器３３０によってデジタル信号からアナログ信号に変換された後、増幅・反転回路３４０に供給されるようになっている。
【００４３】
増幅・反転回路３４０は、入力信号を以下の条件で極性反転させて適宜、増幅してから、相展開された相展開画像信号ＶＩＤ１〜ＶＩＤ６として液晶表示パネル１００に供給するものである。ここで極性反転とは、画像信号の振幅中心電位を基準電位として、その電圧レベルを交互に反転させることをいう。また、反転するか否かについては、データ信号の印加方式が▲１▼走査線単位の極性反転であるか、▲２▼データ信号線単位の極性反転であるか、▲３▼画素単位の極性反転であるかに応じて定められ、その反転周期は、１水平走査期間またはドットクロック周期に設定される。
【００４４】
＜１−４：補正回路＞
次に、図４は補正回路３１０の詳細な構成を示すブロック図である。この図に示すように、補正回路３１０は、補正テーブルＴＢＬ１〜ＴＢＬ３を備えている。補正テーブルＴＢＬ１には、白レベルに対応する６個の補正データＨＷａ〜ＨＷｆが記憶されている。補正テーブルＴＢＬ２には、中間レベルに対応する６個の補正データＨＧａ〜ＨＧｆが記憶されている。さらに、補正テーブルＴＢＬ３には、黒レベルに対応する６個の補正データＨＢａ〜ＨＢｆが記憶されている。
【００４５】
くわえて、補正データＨＷａ、ＨＧａ、およびＨＢａはデータ線１１４ａに対応し、補正データＨＷｂ、ＨＧｂ、およびＨＢｂはデータ線１１４ｂに対応し、補正データＨＷｃ、ＨＧｃ、およびＨＢｃはデータ線１１４ｃに対応し、補正データＨＷｄ、ＨＧｄ、およびＨＢｄはデータ線１１４ｄに対応し、補正データＨＷｅ、ＨＧｅ、およびＨＢｅはデータ線１１４ｅに対応し、補正データＨＷｆ、ＨＧｆ、およびＨＢｆは、データ線１１４ｆに対応している。
【００４６】
次に、各補正データの生成方法について説明する。図５は、補正データを生成するシステム１０００の構成を示す説明図である。この図に示すように補正データ生成システム１０００は、プロジェクタ１１００、ＣＣＤカメラ５００、パーソナルコンピュータ６００およびスクリーンＳから構成される。プロジェクタ１１００は、補正回路３１０の動作を停止させるようになっている。スクリーンＳには、プロジェクタ１１００から投射された画像が写し出される。ＣＣＤカメラ５００は、スクリーンＳの画像を電気信号に変換して画像信号Ｖｓとして、パーソナルコンピュータ６００に供給する。パーソナルコンピュータ６００は、画像信号Ｖｓを解析して補正データを生成する。
【００４７】
以上の補正データ生成システム１０００において、図示せぬ信号発生器からプロジェクタ１１００に、テスト画像データが供給される。このテスト画像データは、例えば、４ブロック毎に黒一色または白一色の基準ライン（基準ブロック）を表示させるものである。図６は、スクリーンＳに表示される画像の一部を示したものである。
【００４８】
まず、白レベルに対応する６個の補正データＨＷａ〜ＨＷｆを生成する。この場合には、第１に、基準ライン（基準ブロック）を黒一色にするとともに他の領域（測定ブロック）を白レベルにするテスト画像データをプロジェクタ１１００に供給する。第２に、パーソナルコンピュータ６００は、画像信号Ｖｓを取り込み、画像信号Ｖｓを予め定められた閾値と比較して基準ラインを検知する。ここで、閾値は、基準ラインの表示レベルを基準レベルとし、他の領域の表示レベルを測定レベルとしたとき、基準レベルと測定レベルとを判別できるように定められている。
【００４９】
第３に、パーソナルコンピュータ６００は、基準ラインに隣接しないブロックの階調をデータ線１１４ａ〜１１４ｆ毎に測定する。図６に示す例では、ブロックＢｊおよびＢｊ＋４が基準ラインであるから、ブロックＢｊ＋１およびＢｊ＋３は、隣接する基準ラインに隣接するブロックとなる。一方、ブロックＢｊ＋２は基準ラインに隣接しないブロックである。したがって、補正データはブロックＢｊ＋２の画像信号Ｖｓに基づいて生成される。具体的には、白レベルと実際に測定された画像信号Ｖｓとの差分に基づいて、補正データを入力画像データに加算したとき、誤差がキャンセルされるように補正データの値を定める。ここで、データ線１１４ａに対応する領域から生成された補正データがＨＷａ、データ線１１４ｂに対応する領域から生成された補正データがＨＷｂ、データ線１１４ｃに対応する領域から生成された補正データがＨＷｃ、データ線１１４ｄに対応する領域から生成された補正データがＨＷｄ、データ線１１４ｅに対応する領域から生成された補正データがＨＷｅ、データ線１１４ｆに対応する領域から生成された補正データがＨＷｆとなる。
【００５０】
次に、中間レベルに対応する補正データＨＧａ〜ＨＧｆも同様に生成する。一方、黒レベルに対応する補正データＨＢａ〜ＨＢｆは、基準ラインを白一色にして表示させる。
【００５１】
これは、基準ライン以外の領域に黒レベルを表示させるため、基準ラインと他の領域を区別し易くするためである。
【００５２】
以上の処理によって、生成された補正データＨＷａ〜ＨＷｆ、ＨＧａ〜ＨＧｆ、ＨＢａ〜ＨＢｆは、各補正テーブルＴＢＬ１〜ＴＢＬ３に格納される。なお、補正データは、スクリーンＳに投影された全画面についての誤差を平均して生成してもよいし、あるいは、左上隅領域、右上隅領域、中央領域、左下隅領域、および右下隅領域といったように所定の領域から得られた誤差を平均して生成してもよい。
【００５３】
図４に戻り、補正回路３１０の説明を続ける。輝度レベル判定回路３１３は、入力画像データＤｉｎの輝度レベルを予め定められた基準レベルと比較して、判定信号を出力する。この例では、補正データＨＧａ〜ＨＧｆを生成する際に用いられた中間レベルを基準レベルとする。
【００５４】
次に、直線補間回路３１４は、判定信号に基づいて、補正テーブルＴＢＬ１〜ＴＢＬ３の中から２つのテーブルを選択し、各テーブルから補正データを読み出し、それらを入力画像データＤｉｎに基づいて補間して、補正データＨａ〜Ｈｂを各々生成する。
【００５５】
次に、ラッチ回路群３１５は、ブロック信号ＳＷＰに同期して直線補間回路３１４の各出力データをラッチする。ブロック信号ＳＷＰの周期は、ドットクロック信号の周期の６倍であり、ブロックの切り替えタイミングでＬレベルからＨレベルに遷移する信号である。
【００５６】
次に、セレクタ３１６は、ラッチ回路群３１５から出力される補正データＨａ〜Ｈｆをアドレス信号ＡＤＲに基づいて選択し、これを加算回路３１２に供給する。具体的には、アドレス信号ＡＤＲの指示値が（０００）、（００１）、…、（１０１）のとき、補正データＨａ、Ｈｂ、…、Ｈｆを選択する。
【００５７】
次に、アドレス信号生成回路３１７は、アップダウンカウンタによって構成されており、クロック信号ＣＫをカウントして、その計数値をアドレス信号ＡＤＲとして出力する。また、その計数値はブロック信号ＳＷＰによってリセットされるようになっている。さらに、アドレス信号生成回路３１７は、転送方向制御信号ＤＩＲＸに基づいて、アップカウント・ダウンカウントの動作が制御されるとともに、リセット時の初期値が変更できるようになっている。具体的には、アドレス信号生成回路３１７は、転送方向制御信号ＤＩＲＸが左から右方向の転送を指示する場合、初期値（０００）からアップカウントを開始する一方、転送方向制御信号ＤＩＲＸが右から左方向の転送を指示する場合、初期値（１０１）からダウンカウントを開始する。
【００５８】
ＦＩＦＯ３１１は、クロック信号ＣＫによって動作する先入れ先出しのメモリであって、１０ビットのラッチ回路を６段縦続接続して構成されている。したがって、ＦＩＦＯ３１１から出力される遅延画像データＤｔは１ブロックに相当する期間遅延したものとなっている。ＦＩＦＯ３１１によって１ブロック期間の遅延を与えたのは、直線補間回路３１４の処理には演算時間がかかるため、加算回路３１２の一方の入力端子に供給される補正データは、入力画像データＤｉｎに対して遅れるため、それとの時間合わせを行うためである。
【００５９】
ここで、転送方向制御信号ＤＩＲＸに基づいて、アドレス信号ＡＤＲの発生順序を制御した理由を図７を参照しつつ説明する。まず、転送方向が図７の上部に示すように左から右の場合には、データ線１１４ａ→１１４ｂ→、…、→１１４ｆの順に、入画像データＤｉｎ１→Ｄｉｎ２→、…、→Ｄｉｎ６に対応する画像信号が供給される一方、転送方向が図７の下部に示すように右から左の場合には、データ線１１４ｆ→１１４ｅ→、…、→１１４ａの順に、入画像データＤｉｎ１→Ｄｉｎ２→、…、→Ｄｉｎ６に相当する画像信号が供給される。一方、補正データは、各データ線１１４ａ〜１１４ｆに対応して生成される。したがって、補正データと入力画像データとの対応を取るためには、転送方向制御信号ＤＩＲＸに基づいて、補正データを切り替えることが必要であり、このために、転送方向制御信号ＤＩＲＸに応じてアドレス信号ＡＤＲの発生順序を逆転させているのである。
【００６０】
＜１−５：プロジェクタの動作＞
次に、プロジェクタの動作について説明する。まず、補正回路３１０の動作について説明する。図８は、転送方向制御信号ＤＩＲＸの示す転送方向が左から右の場合における補正回路３１０の動作を示すタイミングチャートであり、図９は、転送方向制御信号ＤＩＲＸの示す転送方向が右から左の場合における補正回路３１０の動作を示すタイミングチャートである。まず、転送方向が左から右の場合を考える。図８に示すように、入力画像データＤｉｎはクロック信号ＣＫに同期しており、また、ＦＩＦＯ３１１の出力データである遅延画像データＤｔは、入力画像データＤｉｎに対してクロック信号ＣＫの６周期だけ遅延している。換言すれば、ブロック信号ＳＷＰの１周期だけ遅延している。
【００６１】
この結果、期間Ｔにあっては、遅延画像データＤｔとして、Ｄ１ｎ、Ｄ２ｎ、…、Ｄ６ｎが得られる。一方、期間Ｔにおいてラッチ回路群３１５からは、補正データＨａｎ〜Ｈｆｎが出力される。ここで、期間ｔ１においてブロック信号ＳＷＰがアクティブになると、アドレス信号生成回路３１７の計数値はリセットされるから、アドレス信号ＡＤＲは（０００）となる。そして、アドレス信号生成回路３１７がクロック信号ＣＫに基づいてカウントアップすることにより、アドレス信号ＡＤＲは、（００１）、（０１０）、…、（１０１）とインクリンメントされる。
【００６２】
したがって、期間ｔ１〜ｔ６においてセレクタ３１６からは、補正データＨａｎ〜Ｈａｆが順次出力され、これらと遅延画像データＤｔ（Ｄ１ｎ〜Ｄ６ｎ）が加算回路３１２によって加算され、補正済画像データＤＶＩＤが得られる。例えば、期間ｔ１にあっては、補正済画像データＤＶＩＤとして、「Ｄ１ｎ＋Ｈａｎ」が出力されることになる。
【００６３】
一方、転送方向制御信号ＤＩＲＸの示す転送方向が右から左の場合には、図９に示すように、期間ｔ１においてブロック信号ＳＷＰがアクティブになると、アドレス信号生成回路３１７の計数値はリセットされ、アドレス信号ＡＤＲは（１０１）となる。そして、アドレス信号生成回路３１７がクロック信号ＣＫに基づいてカウントダウンすることにより、アドレス信号ＡＤＲは、（１０１）、（１００）、…、（０００）とデクリンメントされる。
【００６４】
したがって、期間ｔ１〜ｔ６においてセレクタ３１６からは、補正データＨｆｎ〜Ｈａｎが順次出力され、これらと遅延画像データＤｔ（Ｄ１ｎ〜Ｄ６ｎ）が加算回路３１２によって加算され、補正済画像データＤＶＩＤが得られる。例えば、期間ｔ１にあっては、補正済画像データＤＶＩＤとして、「Ｄ１ｎ＋Ｈｆｎ」が出力されることになる。
【００６５】
次に、図１０に示すタイミングチャートを参照して、相展開回路３２０からデータ線１１４ａ〜１１４ｆにデータ信号が供給されるまでの動作を説明する。
【００６６】
相展開回路３２０は、補正済画像データＤＶＩＤにシリアル−パラレル変換を施して、補正済画像データＤＶＩＤをブロック信号ＳＷＰの周期で６系統の画像データに変換する。図１に示す相展開回路３２０の出力端子１〜出力端子６からは、６系統の画像データが出力されるが、転送方向制御信号ＤＩＲＸの示す転送方向に応じて、出力される画像データの順番が異なる。この図に示す例では、転送方向制御信号ＤＩＲＸの示す転送方向が左から右を示す場合には、相展開回路３２０の出力端子１、２、…、６から、ＤＶＩＤ１ｎ、ＤＶＩＤ２ｎ、…、ＤＶＩＤ６ｎが出力される。一方、転送方向制御信号ＤＩＲＸの示す転送方向が右から左を示す場合には、相展開回路３２０の出力端子１、２、…、６から、ＤＶＩＤ６ｎ、ＤＶＩＤ５ｎ、…、ＤＶＩＤ１ｎが出力される。
【００６７】
これらの画像データは、Ｄ／Ａ変換器３３０を介してアナログ信号に変換され、さらに、増幅・反転回路３４０によって増幅・反転された後、相展開画像信号ＶＩＤ１〜ＶＩＤ６として、液晶表示パネル１００に供給される。
【００６８】
次に、液晶表示パネル１００においては、６本のデータ線１１４ａ〜１１４ｆがブロック化されており、各ブロックに属するデータ線１１４ａ〜１１４ｆに相展開画像信号ＶＩＤ１〜ＶＩＤ６が同時に供給される。例えば、転送方向制御信号ＤＩＲＸの示す転送方向が左から右を示す場合には、図１０に示すように補正済画像データＤＶＩＤ１ｎに基づく相展開画像信号ＶＩＤ１がデータ線１１４ａに供給される。ここで、ＤＶＩＤ１ｎは、図８に示す期間ｔ１のデータ「Ｄ１ｎ＋Ｈａｎ」に相当する。「Ｈａｎ」は、データ線１１４ａに対応する補正データに基づいて生成されたものであるから、補正済の画像信号がデータ線１１４ａに供給されることになる。一方、転送方向制御信号ＤＩＲＸの示す転送方向が右から左を示す場合には、図１０に示すように補正済画像データＤＶＩＤ６ｎに基づく相展開画像信号ＶＩＤ１がデータ線１１４ａに供給される。ＤＶＩＤ６ｎは、図８に示す期間ｔ６のデータ「Ｄ６ｎ＋Ｈａｎ」に相当する。「Ｈａｎ」は、データ線１１４ａに対応する補正データに基づいて生成されたものであるから、補正済の画像信号がデータ線１１４ａに供給されることになる。
【００６９】
複数のデータ線１１４をまとめて選択する場合、１系統の画像データを複数系統に分割し、分割された各画像データにＤ／Ａ変換、増幅・反転等の処理を施して、画像信号を生成することになるが、本実施形態にあっては、Ｄ／Ａ変換や増幅・反転の処理において、ゲイン等の伝達特性に誤差やバラツキがあっても、予め誤差やバラツキをキャンセルするように生成された補正データを入力画像データＤｉｎに加算しているので、ブロック周期のノイズを抑圧して、表示画像の品質を大幅に向上させることができる。
【００７０】
また、スクリーンＳの画像を反転して表示する場合には、データ線１１４の選択方向を反転させる必要があるが、本実施形態では、このような場合に、補正データをデータ線の選択方向に応じて選択するようにしたので、左右を反転させた画像を表示する場合にもブロック周期のノイズを抑圧して、表示画像の品質を大幅に向上させることができる。
【００７１】
さらに、補正データのデータ値は、入力画像データＤｉｎのデータ値に応じて替わるため、入力画像データＤｉｎの取り得るすべての値に対応する補正データを予め記憶しておくとすれば、大容量の補正テーブルを用いる必要があるが、本実施形態にあっては、いくつかの代表値に対応する補正データを記憶し、中間値に対応する補正データは直線補間により算出するようにしたので、補正テーブルの記憶容量を削減することが可能となる。
【００７２】
＜２．第２実施形態＞
次に、第２実施形態に係わるプロジェクタについて説明する。第２実施形態のプロジェクタは画像処理回路３００Ａの替わりに画像処理回路３００Ｂを用いる点を除いて、その電気的構成は図１に示す第１実施形態のプロジェクタと同様である。また、第２実施形態のプロジェクタの機械的構成は図２に示す第１実施形態のプロジェクタと同様である。
【００７３】
図１１は第２実施形態に係わるプロジェクタの電気的構成を示すブロック図である。この図に示すように、第２実施形態の画像処理回路３００Ｂは、入力画像データＤｉｎをＤ／Ａ変換器３１０’でアナログ信号に変換した後、相展開、補正、増幅・反転処理を施している。このため、相展開回路３２０’はアナログ信号を取り扱う点で、デジタル信号を取り扱う図１に示す相展開回路３２０と相違する。ただし、１系統の画像信号を６系統に分割するとともに、時間軸を６倍に伸張する点は、第１実施形態と同様である。
【００７４】
次に、図１２は補正回路３１０’の構成を示すブロック図でありる。補正回路３１０’は、セレクタ３１６の替わりにセレクタ３１６’を用いる点、Ｄ／Ａ変換器３１８を備える点、加算回路３１２−１〜３１２−６を備える点を除いて、図４に示す第１実施形態の補正回路３１０と同様に構成されている。
【００７５】
セレクタ３１６’は、転送方向制御信号ＤＩＲＸの示す転送方向が左から右の場合に入力端子ＩＮ１、ＩＮ２、…、ＩＮ６に供給される各補正データＨａ、Ｈｂ、…、Ｈｆを出力端子ＯＵＴ１、ＯＵＴ２、…、ＯＵＴ６から出力する。一方、転送方向制御信号ＤＩＲＸの示す転送方向が右から左の場合に入力端子ＩＮ１、ＩＮ２、…、ＩＮ６に供給される各補正データＨａ、Ｈｂ、…、Ｈｆを出力端子ＯＵＴ６、ＯＵＴ５、…、ＯＵＴ１から出力する。
【００７６】
ここで、各補正データＨａ、Ｈｂ、…、ＨｆをＡ／Ｄ変換して得た補正信号をｈａ、ｈｂ、…、ｈｆとすれば、転送方向制御信号ＤＩＲＸの示す転送方向が左から右の場合に、加算回路３１２−１、３１２−２、…、３１２−６の出力信号ｖｉｄ１’、ｖｉｄ２’、…、ｖｉｄ６’は、「ｖｉｄ１＋ｈａ」、「ｖｉｄ２＋ｈｂ」、…、「ｖｉｄ６＋ｈｆ」となる。一方、転送方向制御信号ＤＩＲＸの示す転送方向が右から左の場合に、は、出力信号ｖｉｄ１’、ｖｉｄ２’、…、ｖｉｄ６’は、「ｖｉｄ１＋ｈｆ」、「ｖｉｄ２＋ｈｅ」、…、「ｖｉｄ６＋ｈａ」となる。この結果、データ線１１４の選択方向を逆転した場合にも、適切な補正を施すことが可能となる。
【００７７】
このように第２実施形態では、Ｄ／Ａ変換や増幅・反転の処理において、ゲイン等の伝達特性に誤差やバラツキがあっても、予め誤差やバラツキをキャンセルするように生成された補正信号を相展開された画像信号に加算しているので、ブロック周期のノイズを抑圧して、表示画像の品質を大幅に向上させることができる。また、補正信号をデータ線の選択方向に応じて選択するようにしたので、左右を反転させた画像を表示する場合にもブロック周期のノイズを抑圧して、表示画像の品質を大幅に向上させることができる。いくつかの代表値に対応する補正データを記憶し、中間値に対応する補正データは直線補間により算出するようにしたので、補正テーブルの記憶容量を削減することが可能となる。
【００７８】
＜３．応用例＞
（１）上述した各実施形態では、各ブロックＢ１〜Ｂｍを順次選択するとともに、選択された１つのブロックに属する６本のデータ線１１４ａ〜１１４ｆに対し、６相展開された相展開画像信号ＶＩＤ１〜ＶＩＤ６を同時にサンプリングして供給する構成したが、この相展開の数および同時に供給するデータ線の数（すなわち、１つのブロックを構成するデータ線の数）は、「６」に限られるものではない。例えば、１つのブロックを構成するデータ線数を、３本や、１２本、２４本、……、等として、データ線に対して３相展開や、１２相展開、２４相展開等されて並列供給された画像信号を同時に供給するように構成しても良い。
【００７９】
（２）上述した各実施形態においては、加算回路３１２、３１２−１〜３１２−６を用いて画像信号や画像データの補正を行った。しかし、補正を加算で行うか減算で行うかは、補正データや補正信号の極性に依存する。要はノイズ成分を相殺できるように予め画像信号または画像データに補正信号または補正データを含ませておけば良い。したがって、加算回路は、画像信号と補正信号を合成する合成回路または、画像データと補正データとを合成する合成回路であってもよい。
【００８０】
（３）また、上述した実施形態では、スクリーンＳに表示された画像に基づいて補正データを生成したが本発明はこれに限定されるものではなく、例えば、画像処理回路３００Ａ、３００Ｂの入出力特性を測定し、その測定結果に基づいて補正データを生成するようにしてもよい。
【００８１】
（４）上述した各実施形態では、液晶表示パネル１００をプロジェクタに適用したものを、電子機器の一例として説明したが、本発明の特徴は、何等かの方法によって予め生成した補正データに基づいて画像データや画像信号を補正する点にあるので、これに限定されるものではなく、電気光学物質を有する電気光学パネルを用いた各種の装置に適用できることは勿論である。
【００８２】
例えば、図１３に示すモバイル型のコンピュータに、画像処理回路３００Ａ、３００Ｂおよび液晶表示パネル１００を適用することも可能である。図において、コンピュータ１２００は、キーボード１２０２を備えた本体部１２０４と、液晶ディスプレイ１２０６とから構成されている。この液晶ディスプレイ１２０６は、先に述べた液晶表示パネル１００の背面にバックライトを付加することにより構成されている。
【００８３】
なお、図１３に示す電子機器の他にも、液晶テレビや、ビューファインダ型、モニタ直視型のビデオテープレコーダ、カーナビゲーション装置、ページャ、電子手帳、電卓、ワードプロセッサ、ワークステーション、携帯電話、テレビ電話、ＰＯＳ端末、タッチパネルを備えた装置等などが挙げられる。そして、本発明にかかるこれらの各種電子機器に適用可能なのは言うまでもない。
【００８４】
さらに、本発明は、アクティブマトリクス型液晶表示装置としてＴＦＴを用いたもの例にとって説明したが、これに限られず、スイッチング素子としてＴＦＤ（Ｔｈｉｎ  Ｆｉｌｍ  Ｄｉｏｄｅ：薄膜ダイオード）を用いたものや、ＳＴＮ液晶を用いたパッシブ型液晶などにも適用可能であり、さらに、液晶表示装置に限られず、エレクトロ・ルミネッセンス素子など、各種の電気光学効果を用いて表示を行う表示装置にも適用可能である。
【００８５】
図１４に、エレクトロ・ルミネッセンス素子を用いた例として、有機エレクトロ・ルミネッセンス装置の基本回路構成を説明する。パネルの基板上に、複数の走査線５１０と、これら複数の走査線５１０に対して交差する方向に延びる複数のデータ線５１２と、これらデータ線に沿って延びる複数の電源線５１４と、が形成されている。走査線５１０とデータ線５１２とが交差する交差部の各々に対応して、有機エレクトロ・ルミネッセンス素子５５０と、有機エレクトロ・ルミネッセンス素子５５０にソースまたはドレインが接続されたトランジスタ５２０と、ゲート及びソースまたはドレインのそれぞれが走査線５１０とデータ線５１２に接続されたトランジスタ５１６と、トランジスタ５２０のゲートに接続された容量素子５１８が配置されている。
【００８６】
走査線５１０は、走査線ドライバ５５６（例えば、シフトレジスタ及びレベルシフタのうち少なくともいずれかを備える。）に電気的に接続されている。データ線５１２は、信号線ドライバ５０３（例えばシフトレジスタ、Ｄ／Ａコンバータ、レベルシフタ、ビデオライン、ラッチ回路、スイッチのうち少なくともいずれか一つを備える。）に電気的に接続されている。
【００８７】
上記構成により、トランジスタ５１６をオン状態とする信号が走査線５１０を介してトランジスタ５１６のゲートに供給されることによりトランジスタ５１６はオン状態となる。これに対応してデータ線５１２からデータ信号が供給されることにより、容量素子５１８に、このデータ信号に対応した電荷量が蓄積される。容量素子５１８に蓄積された電荷量に応じてトランジスタ５２０の導通状態が決定され、有機エレクトロ・ルミネッセンス素子５５０に供給される電流量が決まる。その電流量に応じて有機エレクトロ・ルミネッセンス素子５５０が発光する。
【００８８】
このようなエレクトロ・ルミネッセンス素子を用いた電気光学装置においても、入力画像信号を複数系統のブロック毎に相展開して表示することが可能である。そして、本発明のように、相展開画像信号を生成する前に入力画像信号を補正するとよい。また、相展開画像信号を生成した後に、各相展開画像信号を補正しても良い。なお、エレクトロ・ルミネッセンス素子を用いた電気光学装置では反転回路は不要である。
【００８９】
【発明の効果】
以上説明したように本発明によれば、相展開の各系統毎に発生する誤差を補正して、表示画像の品質を大幅に向上させることが可能となる。
【図面の簡単な説明】
【図１】本発明の第１実施形態にかかるプロジェクタの電気的構成を示すブロック図である。
【図２】同プロジェクタの機械的構成を示す平面図である。
【図３】同液晶表示パネルの構成を示すブロック図である。
【図４】同プロジェクタに用いる補正回路のブロック図である。
【図５】同プロジェクタに用いる補正データを生成するシステム１０００の構成を示す説明図である。
【図６】同プロジェクタによるテスト画像の表示例を示す説明図である。
【図７】同プロジェクタにおける転送方向と入力画像データの関係を示す図である。
【図８】転送方向が左から右の場合における同プロジェクタに用いる補正回路の動作を示すタイミングチャートである。
【図９】転送方向が右から左の場合における同プロジェクタに用いる補正回路の動作を示すタイミングチャートである。
【図１０】同プロジェクタにおける相展開回路３２０からデータ線１１４ａ〜１１４ｆにデータ信号が供給されるまでの動作を説明するためのタイミングチャートである。
【図１１】第２実施形態にかかるプロジェクタの電気的構成を示すブロック図である。
【図１２】同プロジェクタに用いる補正回路の構成を示すブロック図である。
【図１３】電子機器の一例たるパーソナルコンピュータの構成を示す正面図である。
【図１４】有機エレクトロ・ルミネッセンス装置の基本回路構成示す図である。
【符号の説明】
１００……液晶表示パネル
１１２……走査線
１１４ａ〜１１４ｆ……データ線
１１６……ＴＦＴ
１１８……画素電極
３００Ａ、３００Ｂ……画像処理回路
３２０、３２０’……相展開回路
３１０、３１０’……補正回路（補正手段）
３１２、３１２−１〜３１２−６……加算回路（合成回路）
３１６、３１６’……セレクタ（選択回路、供給回路）
ＴＢＬ１〜ＴＢＬ３……補正テーブル
【図１】
0003606270.tif 000002
【図２】
0003606270.tif 000003
【図３】
0003606270.tif 000004
【図４】
0003606270.tif 000005
【図５】
0003606270.tif 000006
【図６】
0003606270.tif 000007
【図７】
0003606270.tif 000008
【図８】
0003606270.tif 000009
【図９】
0003606270.tif 000010
【図１０】
0003606270.tif 000011
【図１１】
0003606270.tif 000012
【図１２】
0003606270.tif 000013
【図１３】
0003606270.tif 000014
【図１４】
0003606270.tif 000015